【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
２筐体を連結するヒンジ部内に配線される配線用ケーブルにおいて、
複数の巻回部が設けられるとともに、隣接する前記巻回部の巻回方向が相互に逆方向に設定されてなることを特徴とする配線用ケーブル。
【請求項２】
第１の筐体と、
第２の筐体と、
前記第１の筐体と第２の筐体とを回動可能に連結するための、第１の回動軸と第２の回動軸を有する２軸ヒンジ部と、
前記第１の筐体と第２の筐体とを前記２軸ヒンジ部を介して電気的に接続するための配線用ケーブルとを備え、
前記配線用ケーブルは、
前記２軸ヒンジ部の第１の回動軸に対して第１の方向に巻きつけられているとともに、前記２軸ヒンジ部の第２の回動軸に対して前記第１の方向とは逆方向である第２の方向に巻きつけられていることを特徴とする折畳式電子機器。
【請求項３】
前記配線用ケーブルの長手方向略中央部には、第１の曲折部と第２の曲折部とが形成されていることを特徴とする請求項２記載の折畳式電子機器。
【請求項４】
前記配線用ケーブルは、ＦＰＣケーブルであることを特徴とする請求項２又は３記載の折畳式電子機器。
【請求項５】
前記ＦＰＣケーブルは、所定間隔で配置した複数の線状ケーブルの両面に粘着フィルムを貼着して形成した長尺帯状ケーブルであることを特徴とする請求項４記載の折畳式電子機器。
【請求項６】
前記配線用ケーブルが複数設けられていることを特徴とする請求項２乃至５の何れかに記載の折畳式電子機器。
【請求項７】
前記第１の回動軸の外周の一部に設けられる第１ギア部と、
前記第２の回動軸の外周の一部に設けられて前記第１ギアと噛み合う第２ギア部と
を備えたことを特徴とする請求項２乃至６の何れかに記載の折畳式電子機器。
【請求項８】
前記第１ギア部と前記第２ギア部とは相互に反対方向に同一角度だけ回動するように形成されていることを特徴とする請求項７記載の折畳式電子機器。
【請求項９】
前記第１の回動軸は前記第１の筐体の端部に固定されており、
前記第２の回動軸は前記第２の筐体の端部に固定されていることを特徴とする請求項２乃至８の何れかに記載の折畳式電子機器。
【請求項１０】
前記第１の回動軸と第２の回動軸とを回動可能に支持するベアリング部を備えたことを特徴とする請求項２乃至９の何れかに記載の折畳式電子機器。
【請求項１１】
前記第１の筐体には、撮像部が搭載されていることを特徴とする請求項２乃至１０の何れかに記載の折畳式電子機器。
【請求項１２】
前記第１の筐体には、メモリカードを装着するためのカードスロット部が搭載されていることを特徴とする請求項２乃至１１の何れかに記載の折畳式電子機器。
【請求項１３】
前記第２の筐体には、操作部が搭載されていることを特徴とする請求項２乃至１２の何れかに記載の折畳式電子機器。
【請求項１４】
前記第２の筐体には、画像表示部が搭載されていることを特徴とする請求項２乃至１３の何れかに記載の折畳式電子機器。
【請求項１５】
前記第２の筐体には、画像表示部が搭載されており、
前記画像表示部は、前記撮像部により取得された画像情報を前記配線用ケーブルを介して取得して表示することを特徴とする請求項１１記載の折畳式電子機器。
【請求項１６】
前記第２の筐体には、画像表示部が搭載されており、
前記画像表示部は、前記カードスロット部に装着されているメモリカードに記録されている画像情報を前記配線用ケーブルを介して取得して表示することを特徴とする請求項１２記載の折畳式電子機器。
【請求項１７】
前記折畳式電子機器は、デジタルカメラであることを特徴とする請求項２乃至１６の何れかに記載の折畳式電子機器。
【請求項１８】
前記折畳式電子機器は、携帯電話であることを特徴とする請求項２乃至１６の何れかに記載の折畳式電子機器。
【請求項１９】
２筐体を連結するヒンジ部内におけるケーブル配線方法であって、
ケーブルに複数の巻回部を設けるとともに、隣接する前記巻回部の巻回方向を相互に逆方向に設定することを特徴とするケーブル配線方法。
【手続補正２】
【補正対象書類名】明細書
【補正対象項目名】００１１
【補正方法】変更
【補正の内容】
【００１１】
第１の筐体と、
第２の筐体と、
前記第１の筐体と第２の筐体とを回動可能に連結するための、第１の回動軸と第２の回動軸を有する２軸ヒンジ部と、
前記第１の筐体と第２の筐体とを前記２軸ヒンジ部を介して電気的に接続するための配線用ケーブルとを備え、
前記配線用ケーブルは、
前記２軸ヒンジ部の第１の回動軸に対して第１の方向に巻きつけられているとともに、前記２軸ヒンジ部の第２の回動軸に対して前記第１の方向とは逆方向である第２の方向に巻きつけられていることを特徴とする折畳式電子機器。
請求項３に記載の発明は、請求項２に記載の折畳式電子機器であって、
前記配線用ケーブルの長手方向略中央部には、第１の曲折部と第２の曲折部とが形成されていることを特徴とする。
請求項４に記載の発明は、請求項２又は３に記載の折畳式電子機器であって、
前記配線用ケーブルは、ＦＰＣケーブルであることを特徴とする。
請求項５に記載の発明は、請求項４に記載の折畳式電子機器であって、
前記ＦＰＣケーブルは、所定間隔で配置した複数の線状ケーブルの両面に粘着フィルムを貼着して形成した長尺帯状ケーブルであることを特徴とする。
請求項６に記載の発明は、請求項２乃至５に記載の折畳式電子機器であって、
前記配線用ケーブルが複数設けられていることを特徴とする。
請求項７に記載の発明は、請求項２乃至６に記載の折畳式電子機器であって、
前記第１の回動軸の外周の一部に設けられる第１ギア部と、
前記第２の回動軸の外周の一部に設けられて前記第１ギアと噛み合う第２ギア部と
を備えたことを特徴とする。
請求項８に記載の発明は、請求項７に記載の折畳式電子機器であって、
前記第１ギア部と前記第２ギア部とは相互に反対方向に同一角度だけ回動するように形成されていることを特徴とする。
請求項９に記載の発明は、請求項２乃至８に記載の折畳式電子機器であって、
前記第１の回動軸は前記第１の筐体の端部に固定されており、
前記第２の回動軸は前記第２の筐体の端部に固定されていることを特徴とする。
請求項１０に記載の発明は、請求項２乃至９に記載の折畳式電子機器であって、
前記第１の回動軸と第２の回動軸とを回動可能に支持するベアリング部を備えたことを特徴とする。
請求項１１に記載の発明は、請求項２乃至１０に記載の折畳式電子機器であって、
前記第１の筐体には、撮像部が搭載されていることを特徴とする。
請求項１２に記載の発明は、請求項２乃至１１に記載の折畳式電子機器であって、
前記第１の筐体には、メモリカードを装着するためのカードスロット部が搭載されていることを特徴とする。
請求項１３に記載の発明は、請求項２乃至１２に記載の折畳式電子機器であって、
前記第２の筐体には、操作部が搭載されていることを特徴とする。
請求項１４に記載の発明は、請求項２乃至１３に記載の折畳式電子機器であって、
前記第２の筐体には、画像表示部が搭載されていることを特徴とする。
請求項１５に記載の発明は、請求項１１に記載の折畳式電子機器であって、
前記第２の筐体には、画像表示部が搭載されており、
前記画像表示部は、前記撮像部により取得された画像情報を前記配線用ケーブルを介して取得して表示することを特徴とする。
請求項１６に記載の発明は、請求項１２に記載の折畳式電子機器であって、
前記第２の筐体には、画像表示部が搭載されており、
前記画像表示部は、前記カードスロット部に装着されているメモリカードに記録されている画像情報を前記配線用ケーブルを介して取得して表示することを特徴とする。
請求項１７に記載の発明は、請求項２乃至１６に記載の折畳式電子機器であって、
前記折畳式電子機器は、デジタルカメラであることを特徴とする。
請求項１８に記載の発明は、請求項２乃至１６に記載の折畳式電子機器であって、
前記折畳式電子機器は、携帯電話であることを特徴とする。
【手続補正３】
【補正対象書類名】明細書
【補正対象項目名】００１２
【補正方法】変更
【補正の内容】
【００１２】
請求項２〜１８に記載の発明によれば、請求項１に記載の配線用ケーブルが２軸ヒンジ部内に配線されており、この配線用ケーブルの一の巻回部が２軸ヒンジ部の一方の回動軸周りに設けられるとともに、一の巻回部に隣接する他の巻回部が２軸ヒンジ部の他方の回動軸周りに設けられている。このため、２軸ヒンジ部を中心にして筐体が回動することに起因して一の巻回部からケーブルが送出された場合においても、隣接する他の巻回部によってこの送出されたケーブルを巻き取ることができる。従って、筐体の回動動作に伴う配線用ケーブルの巻回部の拡大を抑制することができるので、２軸ヒンジ部における配線用ケーブルの収納スペースを縮小することができる。この結果、機器全体の小型化・軽量化を達成することができる。
【手続補正４】
【補正対象書類名】明細書
【補正対象項目名】００１３
【補正方法】変更
【補正の内容】
【００１３】
請求項１９に記載の発明は、
例えば図１、図２、図４及び図５に示すように、
２筐体（１０、２０）を連結するヒンジ部（３０）内におけるケーブル配線方法であって、
ケーブル（４０）に複数の巻回部（４１ａ、４２ａ）を設けるとともに、隣接する前記巻回部（４１ａ、４２ａ）の巻回方向（Ｒ1、Ｒ2）を相互に逆方向に設定することを特徴とする。
【手続補正５】
【補正対象書類名】明細書
【補正対象項目名】００１４
【補正方法】変更
【補正の内容】
【００１４】
請求項１９に記載の発明によれば、２筐体を連結するヒンジ部内に所定のケーブルを配線する際に、ケーブルに複数の巻回部を設けるとともに隣接する巻回部の巻回方向を相互に逆方向に設定するので、ヒンジ部を中心とした筐体の回動動作に伴って一の巻回部からケーブルが送出された場合においても、隣接する他の巻回部によってこの送出されたケーブルを巻き取ることができる。従って、ヒンジ部内におけるケーブルの占有スペースを縮小することができる。
【手続補正６】
【補正対象書類名】明細書
【補正対象項目名】００５１
【補正方法】変更
【補正の内容】
【００５１】
請求項２〜１８に記載の発明によれば、請求項１に記載の配線用ケーブルが２軸ヒンジ部内に配線されており、この配線用ケーブルの一の巻回部が２軸ヒンジ部の一方の回動軸周りに設けられるとともに、一の巻回部に隣接する他の巻回部が２軸ヒンジ部の他方の回動軸周りに設けられている。このため、２軸ヒンジ部を中心にして筐体が回動することに起因して一の巻回部からケーブルが送出された場合においても、隣接する他の巻回部によってこの送出されたケーブルを巻き取ることができる。従って、筐体の回動動作に伴う配線用ケーブルの巻回部の拡大を抑制することができるので、２軸ヒンジ部における配線用ケーブルの収納スペースを縮小することができる。この結果、機器全体の小型化・軽量化を達成することができる。
【手続補正７】
【補正対象書類名】明細書
【補正対象項目名】００５２
【補正方法】変更
【補正の内容】
【００５２】
請求項１９に記載の発明によれば、２筐体を連結するヒンジ部内に所定のケーブルを配線する際に、このケーブルに複数の巻回部を設けるとともに隣接する巻回部の巻回方向を相互に逆方向に設定するので、ヒンジ部を中心とした筐体の回動動作に伴って一の巻回部からケーブルが送出された場合においても、隣接する他の巻回部によってこの送出されたケーブルを巻き取ることができる。従って、ヒンジ部内におけるケーブルの占有スペースを縮小することができる。